(57)【要約】【課題】データ精度の低下を抑制しつつ、効率よく走行データを圧縮すること。【解決手段】走行データ処理部１１は、車両が稼動している間、所定のサンプリングレート（例えば、１００［ｍｓｅｃ］、５００［ｍｓｅｃ］、・・・など）で走行データ（車速、位置情報、時刻など）をサンプリングして一時記憶装置に記憶する。走行終了時に、収集した走行データを分析し、車両が発進してから停止するまでの間の走行データを圧縮の単位とする。走行データの圧縮は、サンプリングした走行データのうち、一定車速に到達した時点（地点）、及び車速の変化が変曲点となる時点で取得した走行データを抽出することにより行う。そして、走行データ処理部１１は、抽出した走行データを出力し走行データ記憶部１５に記憶する。【選択図】図１
2008108247.tif 000002
【特許請求の範囲】
【請求項１】
車両の車速を取得する車速取得手段と、
前記車両の位置情報及び現在時刻のうち少なくとも一方からなる車速関連情報を取得する車速関連情報取得手段と、
前記取得した車速が予め設定した設定車速に等しくなる時点、及び、前記車速の変化が変曲点となる時点の各時点において、前記車速関連情報取得手段が取得した車速関連情報を、前記車速と対応させて出力する出力手段と、
を具備したことを特徴とする情報処理装置。
【請求項２】
所定の取得間隔にて前記車速取得手段から車速を取得し、更に、前記車速を取得した時点における車速関連情報を前記車速関連情報取得手段から取得し、前記取得した車速と車速関連情報を対応させて記憶する記憶手段を具備し、
前記出力手段は、前記記憶した車速と車速関連情報から、前記設定車速に等しい車速、及び変曲点となっている車速に対応付けられている車速関連情報を車速と共に出力することを特徴とする請求項１に記載の情報処理装置。
【請求項３】
前記出力手段は、前記記憶した車速と車速関連情報から、前記車両が発進してから停止するまでの区間を単位区間として抽出し、前記抽出した単位区間において、車速と車速関連情報を抽出することを特徴とする請求項２に記載の情報処理装置。
【請求項４】
前記車速取得手段と前記車速関連情報取得手段は、前記車両が所定の特定場所を通過する際の車速と車速関連情報を取得し、
前記出力手段は、前記取得した車速と車速関連情報を、前記特定場所を識別する識別情報と共に出力することを特徴とする請求項１、請求項２、又は請求項３に記載の情報処理装置。
【請求項５】
前記出力手段が出力した車速と車速関連情報を用いて、前記車両が走行した車速の推移を再現する再現手段と、
前記再現した車速の推移を所定の解析手順により解析する解析手段と、
前記解析手段による解析結果を出力する解析結果出力手段と、
を具備したことを特徴とする請求項１から請求項４までのうちの何れか１の請求項に記載の情報処理装置。
【請求項６】
駆動力の一部又は全部が車両の駆動又は発電に使用されるエンジンと、車両の駆動力を発生させるモータとを備え、前記エンジンとモータの少なくとも一方の駆動力により走行するハイブリッド車両であって、
走行経路を特定する走行経路特定手段と、
請求項５に記載の情報処理装置と、
前記情報処理装置の解析結果出力手段から出力された解析結果を用いて前記特定した走行経路における燃料消費量が最少となるように、前記エンジンと前記モータの運転スケジュールを設定する運転スケジュール設定手段と、
を具備することを特徴とするハイブリッド車両。
【発明の詳細な説明】
【技術分野】
【０００１】
本発明は、情報処理装置及びハイブリッド車両に関し、例えば、ハイブリッド車両や、ハイブリッド車両と接続された情報処理センタに搭載され、当該ハイブリッド車両の車速に関連した走行データを得ることに関する。
【背景技術】
【０００２】
エンジンとモータを搭載したハイブリッド車両が普及してきている。このハイブリッド車両では、例えば、エンジン効率が高い領域でエンジンを駆動することで発電を行ったり、あるいは制動時の回生エネルギーを回収することにより蓄電装置（以下、バッテリ）を蓄電することで燃費を向上させている。
また、エンジンの駆動力の一部又は全部を車両の駆動と発電の双方に使用するハイブリッド車両の場合には、低速走行時にエンジンを駆動用に使用すると効率が低くなるので停止、又は発電に使用し、モータの駆動力で走行することで全体の燃費を向上させている。
【０００３】
また、最近では更に燃費を高めるために、予めこれから走行する経路における走行状態を予測し、エンジンとモータの運転スケジュールを設定することも行われるようになっている。
この運転スケジュールは、例えば、停発進を繰り返したり低速での走行が続くことが予想されるす区間が前方に存在する場合、事前にエンジンを効率のよい点で駆動しながら発電してバッテリを充電しておき、その区間ではモータで走行をするように設定することができる。
また、走行経路に標高差の大きい下り区間がある場合、その下り区間に到達する前にバッテリをモータ走行に活用する等により放電させておき、下り区間で可能な限り多くの回生エネルギーを回収するといったような管理を行うことができる。
【０００４】
このように、エンジンとモータの制御をより計画的に管理するためには、車両走行時に走行データを収集し、それを解析することが重要になってくる。
過去の走行データを統計的に分析することにより、例えば、通勤路など運転者が頻繁に利用する経路（以下、頻発経路）での走行速度パターンを得ることができ、この走行速度パターンにおいて、最も燃料消費量が小さくなるようなエンジンとモータの運転スケジュールを設定することができる。
過去の走行データを用いて運転スケジュールを設定することによりエンジンの燃料消費量を低減する技術が特許文献１で提案されている。
【０００５】
【特許文献１】特開２０００−３３３３０５公報
【０００６】
この特許文献１記載の技術では、目的地までの走行経路を、交差点等の発進と停止が予測される地点で複数の区間に分割し、ナビゲーション装置から道路データと走行履歴とを取得して各区間ごとの走行速度パターンを推定し、推定した走行速度パターンとエンジンの燃料消費特性とに基づいて、目的地までの燃料消費量が最少となるように、エンジン及びモータの運転スケジュールを設定するようになっている。
また、車両が走行する際に走行データを収集し、これを蓄積しておくと、運転スケジュール設定の他にも様々な情報処理に利用することができる。
【発明の開示】
【発明が解決しようとする課題】
【０００７】
ところで、走行データを記憶させていく場合、所定のサンプリング周期で現在位置の位置情報（座標値）、車速（車両の速度）、走行する道路の種別などをサンプリングし、これらを対応させて記憶させていくのが一般的である。
ところが、このようにして長期間に渡って走行データを収集・蓄積すると膨大なデータ量となってしまうという問題があった。
【０００８】
また、蓄積した大量の走行データを解析して走行速度パターンの予測などを行うためには、多大の計算能力が要求される。
そして、一般の自動車の車載装置にその機能を持たせることはコスト的、記憶容量的に困難であった。
一方、サンプリング周期を長くすれば走行データ量を小さくすることが可能であるが、データ精度が低下するという新たな問題が生じる。
【０００９】
そこで本発明は、データ精度の低下を抑制しつつ、効率よく走行データを圧縮することを目的とする。
【課題を解決するための手段】
【００１０】
請求項１に記載の発明では、車両の車速を取得する車速取得手段と、前記車両の位置情報及び現在時刻のうち少なくとも一方からなる車速関連情報を取得する車速関連情報取得手段と、前記取得した車速が予め設定した設定車速に等しくなる時点、及び、前記車速の変化が変曲点となる時点の各時点において、前記車速関連情報取得手段が取得した車速関連情報を、前記車速と対応させて出力する出力手段と、を情報処理装置に具備させて前記目的を達成する。
請求項２に記載の発明では、請求項１に記載の情報処理装置において、所定の取得間隔にて前記車速取得手段から車速を取得し、更に、前記車速を取得した時点における車速関連情報を前記車速関連情報取得手段から取得し、前記取得した車速と車速関連情報を対応させて記憶する記憶手段を具備し、前記出力手段は、前記記憶した車速と車速関連情報から、前記設定車速に等しい車速、及び変曲点となっている車速に対応付けられている車速関連情報を車速と共に出力することを特徴とする。
請求項３に記載の発明では、請求項２に記載の情報処理装置において、前記出力手段は、前記記憶した車速と車速関連情報から、前記車両が発進してから停止するまでの区間を単位区間として抽出し、前記抽出した単位区間において、車速と車速関連情報を抽出することを特徴とする。
請求項４に記載の発明では、請求項１、請求項２、又は請求項３に記載の情報処理装置において、前記車速取得手段と前記車速関連情報取得手段は、前記車両が所定の特定場所を通過する際の車速と車速関連情報を取得し、前記出力手段は、前記取得した車速と車速関連情報を、前記特定場所を識別する識別情報と共に出力することを特徴とする。
請求項５に記載の発明では、請求項１から請求項４までのうちの何れか１の請求項に記載の情報処理装置において、前記出力手段が出力した車速と車速関連情報を用いて、前記車両が走行した車速の推移を再現する再現手段と、前記再現した車速の推移を所定の解析手順により解析する解析手段と、前記解析手段による解析結果を出力する解析結果出力手段と、を具備したことを特徴とする。
請求項６に記載の発明では、駆動力の一部又は全部が車両の駆動又は発電に使用されるエンジンと、車両の駆動力を発生させるモータとを備え、前記エンジンとモータの少なくとも一方の駆動力により走行するハイブリッド車両であって、走行経路を特定する走行経路特定手段と、請求項５に記載の情報処理装置と、前記情報処理装置の解析結果出力手段から出力された解析結果を用いて前記特定した走行経路における燃料消費量が最少となるように、前記エンジンと前記モータの運転スケジュールを設定する運転スケジュール設定手段と、をハイブリッド車両に具備させて前記目的を達成する。
【発明の効果】
【００１１】
本発明によると、データ精度の低下を抑制しつつ、走行データを効率よく圧縮することができる。
【発明を実施するための最良の形態】
【００１２】
（１）実施形態の概要
走行データ処理部１１（図１）は、車両が稼動している間、所定のサンプリングレート（例えば、１００［ｍｓｅｃ］、５００［ｍｓｅｃ］など）で走行データをサンプリングして一時記憶装置に記憶する。
ここで、走行データとは、例えば、車速、位置情報、時刻など、車両が走行に関連して各種センサや検出装置から取得した情報である。
そして、走行データ処理部１１は、走行終了時に収集した走行データを分析し、走行データが再現可能なように圧縮して記憶する。
【００１３】
なお、走行開始時から走行修了時までの走行データを圧縮してもよいが、本実施形態では、全走行データから車両が発進してから停止するまでの区間を単位区間として特定し、単位区間内の走行データを抽出してこれを圧縮の単位とする。
このように、車両が発進してから停止するまでの走行データを抽出することにより、車両が赤信号などで停止している間の走行データ（本実施形態での解析目的に不要なデータ）を記憶せずに済み、記憶するデータ量をより小さくすることができる。
なお、解析目的により停止期間中のデータも必要な場合は、この期間での走行データも圧縮するように構成する。
【００１４】
走行データの圧縮は、サンプリングした走行データのうち、所定の設定車速に到達した時点（地点）、及び車速の変化が変曲点となる時点で取得した走行データを抽出することにより行う。ここで、変曲点となる時点とは、車速が加速から減速へ、及び減速から加速へ変更した地点である。
そして、走行データ処理部１１は、抽出した走行データを出力し走行データ記憶部１５に記憶する。
【００１５】
本実施形態では、図３に示したように、発進時点ａ１、停止時点ａ２、車速が１０、２０、３０、…［Ｋｍ／ｈ］に達する時点Ｃ１、Ｃ２、Ｃ３、…、及び車速の変化が変曲点（即ち、グラフ上の山や谷）となる時点ｂ１、ｂ２、ｂ３、…における走行データを抽出する。
そして、抽出した時点ごとに、その時点における車速、位置情報、時刻などの走行データを記憶・蓄積し、その後元の走行データは消去する。
【００１６】
図５は、この抽出した走行データを用いて車速の推移を再現したものであり、図６（ａ）は、元の走行データによる車速の推移（実線５１）と抽出した走行データから再現した車速の推移（点線５３）を比較した図である。
図に示したように両者はよく一致し、車速の解析で重要な変曲点付近の形状もよく再現されている。
【００１７】
図３に示した例では、従来であれば、発進時点ａ１から停止時点ａ２に至るまで、例えば、サンプリング周期１００［ｍｓｅｃ］程度でサンプリングしていたとすると約８０秒の走行時間に対して約８００点のデータ数となる。これに対し本発明では、図３に示したＣ１〜Ｃ１６，ｂ１〜ｂ７，ａ１、ａ２の数十点程度の走行データを記憶するだけで、元の走行データを精度よく再現することができる。
このように、本実施形態は、設定速度と変曲点での走行データから元の走行データが精度よく再現できるという「走行データ」の特性に適したデータ圧縮方法を提供することができ、走行データを必要最小限に簡略化（圧縮）することができる。
蓄積した走行データは利用時に再現され、例えば、ハイブリッド車両で頻発経路を走行する際に、燃費効率のよいモータとエンジンの駆動力配分を決定する際の有用なデータとなる。
【００１８】
（２）実施の形態の詳細
本実施形態では、説明を簡単にするために一例として走行データを、車速、位置情報、時刻の各項目から構成されているものとし、これらの各項目を、車両走行中に所定のサンプリング周期（所定の時間間隔）で、更に同じタイミングでサンプリングする。
そのため、走行データは、データ１（車速１、位置情報１、時刻１）、データ２（車速２、位置情報２、時刻２）、…といった一連の情報から構成されている。
但し、実施形態としては走行データを車速と位置情報、又は車速と時刻情報から構成することも可能である。また、走行データには加速度を含めても良い。
【００１９】
ここで、位置情報、時刻は、車速に関連した車速関連情報を構成している。即ち、走行データは、車速と車速関連情報から構成されていることになる。
このように所定のサンプリング周期でこれらデータを取り込むことで、車両の走行した軌跡やその時々の車速を収集することができる。
【００２０】
本実施形態における走行データ解析の目的は、例えば、頻発経路走行時の車速の変化パターン（走行速度パターン）を抽出することであり、この場合、車速と、位置情報及び時刻の少なくとも一方は、この解析目的に最低限必要な情報となっている。
走行速度パターンは、先の走行を予測し（頻発経路の場合、過去の走行データから予測可能）、ハイブリッド車両において、燃料消費量が最低となるようなエンジンとモータの運転スケジュールを設定するのに利用することができる。
【００２１】
なお、この走行データの構成は一例であって、解析目的に応じて走行データを構成する項目を設定することができる。例えば、後述するように走行データの項目としてアクセルやブレーキのオンオフ状態や、シフトレバーの位置などを含ませ、走行データから運転状態を把握できるように構成することもできる。
また、後述するように、走行データは走行環境データと関連づけられており、走行時の気象情報や渋滞情報などと対応できる様になっている。
【００２２】
図１は本発明の実施形態における駆動制御装置、及び車両が適用されるハイブリッド車両の駆動制御システム１０の構成を示す概念図である。
駆動制御システム１０は、車両の動力を発生する駆動装置２０、発生した動力を伝達する駆動力伝達装置２５、及び経路探索や走行データの取得や経路の解析などのナビゲーション関係の情報処理を行う走行データ処理部１１を備えている。
【００２３】
駆動装置２０は、メイン制御装置２６、エンジン２１、発電機２２、バッテリ２３、モータ２４を備えている。
エンジン２１は、ガソリン、軽油等の燃料によって駆動される内燃機関によるエンジンであり、図示しないＥＣＵ等のエンジン制御装置を備え、車両の動力源として使用される。
【００２４】
エンジン２１の駆動力は、図示しない変速機（多段変速機または無段変速機）、駆動軸、駆動輪等を備える駆動力伝達装置２５に伝達される。そして、伝達された駆動力により駆動輪が回転し、車両が駆動される。
なお、駆動力伝達装置２５にはドラムブレーキ、ディスクブレーキ等の制動装置を配設することもできる。
【００２５】
モータ２４は、例えば、交流モータ、ＤＣブラシレスモータなどのモータ装置により構成され、エンジン２１と共に車両の動力源として利用される。モータ２４が発生した駆動力は、駆動力伝達装置２５を介して伝達される。
また、モータ２４は交流モータであることが望ましく、この場合、図示しないインバータを備える。
なお、本実施形態では、後述するように発電機２２を用いて回生を行うように構成されているが、モータ２４で回生することも可能である。この場合、モータ２４は、発電装置として作用し、バッテリ２３を充電する。
【００２６】
バッテリ２３は、モータ２４を駆動するための電気エネルギーを蓄える蓄電手段であり、充電と放電を繰り返すことができる２次電池などにより構成されている。
バッテリ２３には、蓄電量（ＳＯＣ）を検出するためのＳＯＣセンサ（蓄電量検出手段）が取り付けられており、メイン制御装置２６がバッテリ２３のＳＯＣを監視できるようになっている。
バッテリ２３としては、例えば、鉛蓄電池、ニッケルカドミウム電池、ニッケル水素電池などの２次電池が一般的であるが、電気自動車等に使用される高性能鉛蓄電池、リチウムイオン電池、ナトリウム硫黄電池などを用いることもできる。
【００２７】
なお、蓄電手段としては、必ずしもバッテリ２３でなくてもよく、電気二重層コンデンサのようなコンデンサ（キャパシタ）、フライホイール、超伝導コイル、蓄圧器等のように、エネルギーを電気的に蓄積し放電する機能を有するものを使用することができる。
更に、これらの中の何れかを単独で使用してもよいし、複数のものを組み合わせて使用してもよい。例えば、バッテリ２３と電気二重層コンデンサとを組み合わせて、蓄電手段として使用することもできる。
【００２８】
発電機２２は、機械的なエネルギーを電気エネルギーに変換することにより電力を発生する装置であり、発生した電力によりバッテリ２３を充電する。
発電機２２は、交流発電機であることが望ましく、この場合、図示しないインバータを備える。
【００２９】
発電機２２は、エンジン２１の駆動力を用いて発電を行うことかできるほか、車両制動時に駆動力伝達装置２５から車両の運動エネルギーを取得して電気エネルギーを発生する回生により電力を発生することができる。
このように、駆動制御システム１０では、従来の内燃機関による車両であれば、車両制動時にブレーキ装置にて摩擦熱として消散してしまう運動エネルギーを電気エネルギーとして回収することができるため、燃費を向上させることができる。
【００３０】
なお、本実施形態では、発電機２２とモータ２４を別物として構成したが、発電機２２とモータ２４を一体的に構成することも可能である。
この場合、モータ２４は、バッテリ２３から電力が供給されるときは駆動力を発生して動力源として機能し、車両の制動時等のように駆動力伝達装置２５によって回転させられるときは回生電流を発生する発電機２２として機能する。
【００３１】
また、発電機２２はエンジン２１の駆動力による発電を行い、車両の減速運転時における回生エネルギーによる電力の発生をモータ２４で行うようにしてもよい。
また、エンジン２１の駆動力の一部を駆動用に出力し、駆動力の残りで発電機２２の駆動に使用して発電する場合、例えば、プラネタリギヤを使用し、エンジン２１、発電機２２、モータ２４の各軸を連結することで実現される。
【００３２】
メイン制御装置２６は、図示しないＣＰＵ、ＭＰＵ等の演算手段、半導体メモリ、磁気ディスク等の記憶手段、走行データ処理部１１との通信インターフェース等を備える一種のコンピュータであり、エンジン２１、エンジン制御装置、モータ２４、発電機２２及びインバータの動作を制御する。
【００３３】
メイン制御装置２６は、車両の走行状況によってエンジン２１とモータ２４との使用割合を制御する。例えば、所定速度以上での走行時のようにエンジン２１の効率の高い走行では主にエンジン２１で駆動し、低速走行時のようにエンジン２１の効率の低い走行ではモータ２４で駆動力を発生させ、また、急加速時のように高出力が要求される場合にはエンジンとモータを併用して駆動するように制御される。
このように、エンジン２１とモータ２４を相補的に動作させることにより燃費を向上させることができる。
このような制御は、記憶手段で記憶している所定の制御プログラムを演算手段で実行することにより実現することができる。
【００３４】
また、メイン制御装置２６は、走行データ処理部１１が提供するナビ制御情報（後述する走行速度パターンやその他の情報）を用いて、先の経路状況を見越したナビ制御も行う。
ナビ制御は、例えば、これから走行する経路の状態や走行状態を予測し、ＳＯＣ管理幅の範囲内で燃料効率が最大となるようにエンジン２１とモータ２４の運転スケジュールを設定し、これに基づいて駆動装置２０を制御したり、あるいは、先に下り区間がある場合、下り区間に到達する前にＳＯＣを低下させて回生による蓄電量を増やしたりなどする。
【００３５】
走行データ処理部１１には、ナビゲーションデータベース１２、走行データ取得部１３、走行環境データ取得部１４、走行データ記憶部１５などの各機能部が接続されている。
走行データ処理部１１は、これらの機能部を利用することにより、運転者に目的地までの経路を案内するナビゲーションサービスを提供したり、メイン制御装置２６がエンジン２１とモータ２４の運転スケジュールを設定しナビ制御を行うためのナビ制御情報の提供を行う。
また、走行データ処理部１１は、メイン制御装置２６にナビ制御情報を生成して提供するために、車両が走行する際に走行データを収集・蓄積し、これを解析する。
【００３６】
ナビゲーションデータベース１２は、地図データ、音声データ、道路データ、探索データなど、運転者にナビゲーションサービスを提供したり、走行データ処理部１１にナビゲーション関連の情報を提供するための各種情報を格納している。
ナビゲーションデータベース１２は、磁気テープ、磁気ディスク、磁気ドラム、フラッシュメモリ、ＣＤ−ＲＯＭ、ＭＤ、ＤＶＤ−ＲＯＭ、光ディスク、ＭＯ、ＩＣカード、光カード、メモリカード等、あらゆる形態の記憶媒体のいずれかで構成されている。また、取り外し可能な外部記憶媒体を使用することもできる。
【００３７】
地図データは、緯度経度で規定される座標を用いて、ナビゲーションサービスの対象となる地域の地理的な情報や、地所、建造物、構造物などの案内対象の分布を表した地図情報であり、道路の配置、道路案内上のポイントとなる各地点の写真画像、施設や建造物の所在地や形状、及び地形や河川などの地勢に関する情報、その他の情報を含んでいる。
地図上の道路は、各地点の緯度経度が特定されると共に、道路データ、探索データと対応付けられている。
【００３８】
地図データは、道路やそのほかの対象の緯度経度を特定するのに用いるほか、走行データ処理部１１が備える表示部に探索された経路に沿って案内図を表示したり、交差点または経路における特徴的な写真、コマ図等を表示したり、次の交差点までの距離、次の交差点における進行方向等を表示したり、他の案内情報を表示するのに用いられる。
音声データは、道路案内や、ユーザに対する問いかけ（目的地の名前は何かなど）を行うためのデータであり、音声出力部によって再生出力される。
【００３９】
道路データは、地図データ上のそれぞれの道路に関する情報を、各道路を識別するための道路識別情報と共に格納している。
道路に関する情報としては、例えば、道路種別（国道、県道、主要地方道、一般道、高速道路等の行政道路属性）、道路の長さ、走行に要する時間、幅員、勾配、カント、標高、バンク、路面の状態、中央分離帯の有無、車線数、該車線数の減少する地点、幅員の狭くなる地点などがある。
【００４０】
探索データには、運転者が目的地を指定した場合に、出発地から目的地までの経路探索を行うための情報が含まれている。
例えば、探索データに含まれる交差点データには、データが格納されている交差点の数に加え、それぞれの交差点に関するデータが交差点データとして、識別するための交差点識別情報が付与されて格納されている。
【００４１】
走行データ取得部１３は、車両が始動してから停止するまでの間、即ち、駆動装置２０が始動してから停止するまでの間、所定間隔で車両の現在位置（位置情報）、車速などの走行データを取得する。
本実施形態における走行データは、時刻及びその時刻における車速と位置情報から構成されているが、このほかに、アクセル開度、ブレーキスイッチの状態、ステアリング角度、ウィンカ動作状況、シフトレバーの位置、ＳＯＣなどの、車両の状態に関する車両情報を含めることもできる。
【００４２】
走行データ取得部１３は、これらの情報を所定のサンプリング周期（例えば、１００［ｍｓｅｃ］、５００［ｍｓｅｃ］などの所定の時間間隔ごと）、または、所定の走行距離間隔（例えば、１００［ｍ］、５００［ｍ］等の所定距離ごと）でサンプリングし、走行データ処理部１１に提供する。
なお、本実施形態では、所定のサンプリング周期でサンプリングを行う場合について説明する。
【００４３】
走行データ取得部１３は、車両走行時に各種の走行データを収集するために、ＧＰＳ（Ｇｌｏｂａｌ  Ｐｏｓｉｔｉｏｎｉｎｇ  Ｓｙｓｔｅｍ）センサ、車両の向いている方位を検出する方位センサ、アクセル開度を検出するアクセル開度センサ、運転者が操作するブレーキペダルの動きを検出するブレーキスイッチ、運転者が操作するステアリングの舵角を検出するステアリングセンサ、運転者が操作するウィンカスイッチの動きを検出するウィンカセンサ、運転者が操作する変速機のシフトレバーの動きを検出するシフトレバーセンサ、車両の車速を検出する車速センサ、車両の加速度を検出する加速度センサ、車両の向いている方位の変化を示すヨーレイトを検出するヨーレイトセンサなど、各種のセンサ・検出装置を備えている。
なお、ＧＰＳセンサは、ＧＰＳ衛星からのＧＰＳ情報を受信して解析することにより現在位置の座標値（緯度と経度）を算出するものである。
【００４４】
走行環境データ取得部１４は、時刻、日付、曜日、車両が出発した日時、天気、気象情報、渋滞情報、交通規制情報、道路工事情報、イベント情報など、車両走行時における車両周辺の走行環境に関する情報を取得して走行データ処理部１１に提供する。
走行環境データ取得部１４は、時計、カレンダーなどを備えており、これによって現在の時刻、日付、曜日、車両が出発した日時等の日時情報を取得する。
【００４５】
また、走行環境データ取得部１４は、例えば、ＶＩＣＳ（Ｒ）（Ｖｅｈｉｃｌｅ  Ｉｎｆｏｒｍａｔｉｏｎ  ＆  Ｃｏｍｍｕｎｉｃａｔｉｏｎ  Ｓｙｓｔｅｍ）と称される道路交通情報通信システムを利用して、警察、日本道路公団等の交通管制システムの情報を収集して作成した道路の渋滞等に関する情報、交通規制情報、道路工事等に関する工事情報等の道路交通情報を取得する。
【００４６】
更に、走行環境データ取得部１４は、祭り、パレード、花火大会等のイベントの開催予定場所、予定日時等のイベント情報、例えば、駅周辺や大型商業施設周辺の道路には週末を除く毎日の特定時刻に渋滞が発生するとか、海水浴場周辺の道路には夏期休暇時期に渋滞が発生する等の統計的渋滞情報、気象庁が作成する天気予報等の気象情報なども取得する。
【００４７】
加えて、走行環境データ取得部１４は、ワイパー、ヘッドライト、エアコン、デフロスタなどの車両搭載機器の作動状況のデータ、及び、雨滴センサ、気温センサ等の車両搭載センサのセンシングデータを取得する。車両搭載機器の作動状況のデータ及びセンシングデータは、走行データ処理部１１において、そのときの天候を推定するために利用することができる。
【００４８】
走行データ記憶部１５は、走行データ取得部１３が取得した走行データを走行データ処理部１１が圧縮した圧縮走行データと、走行環境データ取得部１４で取得した走行環境データを記憶する記憶手段である。
この場合、車両の１回の走行における圧縮走行データと走行環境データとは、相互に対応付けられて記憶される。
これにより、圧縮走行データをから元の走行データを再現することにより走行状態の推移を把握することができ、その走行を行ったときの走行環境は走行環境データから把握することができる。
これらのデータは、走行データ処理部１１が解析して、例えば、運転者が日常よく利用する経路を推測するほか、頻発経路における気象状況や曜日、走行時間帯などによる走行データの差異を分析するのに利用することができる。
【００４９】
走行データ処理部１１は、図示しないＣＰＵ、ＭＰＵ等の演算手段、半導体メモリ（ＲＯＭ、ＲＡＭ等）、磁気ディスク等の記憶手段、通信インターフェース等を備えている。
走行データ処理部１１は、ナビゲーションデータベース１２、及び走行データ記憶部１５に格納されているデータ、及び、走行データ取得部１３、走行環境データ取得部１４から取得する情報を用いて、各種の情報処理を行う。
また、走行データ処理部１１は、走行データ取得部１３から取得した走行データを圧縮して走行データ記憶部１５に記憶し、走行環境データ取得部１４から取得した走行環境データを走行データ記憶部１５に格納する。
【００５０】
走行データ処理部１１は、ユーザインターフェースとして、操作キー、押しボタン、ジョグダイヤル、十字キー、リモートコントローラ等を備える入力部、ＣＲＴディスプレイ、液晶ディスプレイ、ＬＥＤ（Ｌｉｇｈｔ  Ｅｍｉｔｔｉｎｇ  Ｄｉｏｄｅ）ディスプレイ、プラズマディスプレイ、フロントガラスのホログラムを投影するホログラム装置等を備える表示部、マイクロホン等によって構成される音声入力部、音声合成装置、スピーカ等を備える音声出力部を備えるほか、ＦＭ送信装置、電話回線網、インターネット、携帯電話網等との間で各種データの送受信を行う通信部を備えている。
【００５１】
走行データ処理部１１が行う情報処理には、運転者に対する経路案内の提供、メイン制御装置２６がナビ制御を行うのに用いるナビ制御情報を生成・提供、及びナビ制御情報を生成するのに用いる走行データ・走行環境データの収集・分析などがある。
【００５２】
経路案内の提供は、ユーザインターフェースを用いて現在地から目的地までの経路探索を行って運転者に提示し、現在位置を取得しながら運転者を目的地まで誘導する処理である。
目的地は、運転者に入力してもらってもよいし、あるいは、運転者の過去の運転パターンから予測するなどして自動的に設定してもよい。
このように、メイン制御装置２６は、走行経路特定手段としての機能を有している。
【００５３】
ナビ制御情報は、メイン制御装置２６がエンジン２１やモータ２４の運転スケジュールを設定したり、あるいは、運転スケジュールに従ってエンジン２１やモータ２４を制御するのに使用する情報である。
ナビ制御情報としては、各種のものが考えられるが、例えば、後述するような過去の走行データから推測した、出発地から目的地までの走行速度パターンがある。そして、メイン制御装置２６は、予測される走行速度パターンから燃料消費量が最小となるような運転スケジュールを設定することができる。
このように、メイン制御装置２６は、運転スケジュール設定手段としての機能を有している。
【００５４】
また、現在位置の位置情報もナビ制御情報として利用することができる。即ち、メイン制御装置２６は、現在位置を把握しながら、運転スケジュールに応じた制御を行うため、走行データ処理部１１が位置情報をメイン制御装置２６に提供するように構成することができる。
これにより、メイン制御装置２６は、例えば、バッテリ２３の充電開始位置や放電位置に到達したことを知ることができ、バッテリ２３のＳＯＣを計画的に管理することができる。
【００５５】
走行データの収集に関しては、車両の走行中に、所定のサンプリングレートで車速、位置情報、時刻などを同じタイミングで刻々と取得し、これを圧縮して圧縮走行データとした後、走行データ記憶部１５に出力して格納・蓄積する。
そして、走行データの解析に関しては、圧縮走行データから走行データを再現した後、これを解析し、出力する。
なお、詳細は後述するが、圧縮は、走行データから車速が設定速度に到達した時点、変曲点となる時点などにおけるものを抽出することにより行う。
【００５６】
このように、走行データ処理部１１は、車速を取得する車速取得手段と、車速関連情報（位置情報、時刻）を取得する車速関連情報取得手段、設定速度及び変曲点における車速と車速関連情報を対応させて出力する出力手段としての機能を有している。
更に、走行データ処理部１１は、所定の取得間隔（時間間隔、又は走行距離による間隔）にて車速、位置情報、時刻を取得して走行データ記憶部１５に記憶する記憶手段としての機能も有している。
加えて、走行データ処理部１１は、圧縮走行データから元の走行データを再現する再現手段、再現した走行データを解析する解析手段、解析結果をメイン制御装置２６に出力する解析結果出力手段としての機能を有している。
【００５７】
図２は、走行データ処理部１１が実現する機能のうち、走行データの処理に関するものを説明するための機能ブロック図である。
走行データ圧縮部４１、及びデータ利用部４７は、何れも走行データ処理部１１（図１）で実現される機能部である。
【００５８】
これは走行データ処理部１１のＣＰＵにおいて、走行データ圧縮プログラム、及びデータ利用プログラムを実行することにより、ソフトウェア的に実現してもよいし、あるいは、予めこのような機能部をハードウェアで実現し、走行データ処理部１１に実装してもよい。
【００５９】
走行データ記憶部１５は、位置情報取得部３２と車両情報取得部３３を備えている。
位置情報取得部３２は、軌道上を周回している複数のＧＰＳ衛星３１からＧＰＳ信号を受信し、車両の現在位置の座標値（緯度・経度）、即ち位置情報を算出する。そして、位置情報取得部３２は、算出した現在位置を走行データ圧縮部４１に提供する。
車両情報取得部３３は、車速センサから車速を取得し、走行データ圧縮部４１に提供する。
なお、建造物の密集地など、ＧＰＳ信号が到達しない場所で位置情報を取得するため、ジャイロなどを用いた慣性誘導式のシステムを併用してもよい。
【００６０】
走行データ圧縮部４１は、走行データ記憶部１５から走行データ（現在位置、車速、時刻）を取得して圧縮し、蓄積する機能部であり、走行データ収集部４２、圧縮処理部４３、圧縮走行データ記憶部４４から構成されている。
走行データ収集部４２は、所定のサンプリング周期で位置情報取得部３２からは現在位置を取得し、車両情報取得部３３は車速を取得し、これを現在時刻に対応付けてＲＡＭやハードディスクなどで構成された一時記憶装置に記憶する。
【００６１】
圧縮処理部４３は、一時記憶装置に記憶された走行データを圧縮し、圧縮走行データを生成する。圧縮方法としては、次のような方法を採用する。
まず、圧縮処理部４３は、一時記憶装置に記憶された走行データを発進時点から停止時点までの区間からなる単位区間に分割する。
本実施形態では、走行速度パターンの分類を目的とするため、停止時点から発進時点までの間の走行データの圧縮・記憶は行わない。
これは、車両が停止していた間の走行データは、停止時点の走行データと発進時点の走行データから復元できるためである。これにより圧縮後のデータ量を少なくすることができる。
【００６２】
次に、各単位区間に対して、車速が予め設定した値に等しくなった時点での走行データを特定し、これを抽出する。
更に、車速の変化から、車速の変化が変曲点となる時点を特定し、この時点での走行データを抽出する。
このように、圧縮処理部４３は、走行データ収集部４２が収集した走行データのうち、解析を行う際に重要な時点（特に、車速の変化が変曲点となる点の付近）での走行データを漏らさずに抽出し、走行データを圧縮することができる。
そのため、走行データの特徴を失わないように走行データを圧縮することができる。
【００６３】
圧縮走行データ記憶部４４は、圧縮処理部４３が抽出した走行データ（圧縮走行データ）をデータファイルとして走行データ記憶部１５に記憶する。
ファイル名としては、圧縮前の走行データを特定する情報（例えば、データ取得日時）、及び走行データを単位区間に分割した際の何れの区間を圧縮したものか特定する情報（例えば、分割した際の先頭から数えて何番目の区間か）などが含まれ、ファイル名から各圧縮走行データがいつの走行に関するものであるか特定できるようになっている。
【００６４】
このようにファイル名を設定すると、各圧縮走行データに対して一意的にファイル名を設定することができるほか、後に走行データを解析して統計的な処理を施す場合にも便利である。
なお、一時記憶された圧縮元の走行データは圧縮処理後消去され、一時記憶装置の記憶エリアは、次回に走行する際に走行データを収集するのに再利用される。
【００６５】
データ利用部４７は、圧縮走行データを用いて解析処理を行う機能部である。走行データ処理部１１は、この解析結果を、メイン制御装置２６（図１）がエンジン２１とモータ２４の運転スケジュールを設定するためのナビ制御情報を生成するのに利用することができる。
【００６６】
データ利用部４７は、走行データ再現部４８と走行データ解析部４９を備えている。
走行データ再現部４８は、走行データ記憶部１５（図１）から圧縮走行データを読み出し、これから圧縮元の走行データを再現する（以下、再現走行データ）。
走行データ解析部４９は、再現走行データを用いて各種の解析を行う。本実施形態では、例えば、過去の走行経路から頻発経路を特定し、更に、頻発経路での車速の変化パターンを抽出することができる。
【００６７】
次に、図３を用いて、圧縮処理部４３（図２）が行う圧縮処理について説明する。
図３は、走行時間に対する車速の変化の推移をグラフにより表したものであり、横軸に走行時間、縦軸に車速をとっている。なお、図３は、実際の走行データを模式的に表したものである。
実線５１は、走行データ収集部４２が収集した走行データの各点をプロットしたものである。サンプリング周期は１００［ｍｓｅｃ］である。
また、実線５１を構成するのに用いたデータ個数、即ち、プロットに用いた（車速、位置情報、時刻）かなる情報の組の個数の実際の値は約８００個であった。
【００６８】
まず、圧縮処理部４３は、走行データを取得した全行程から発進時点ａ１から停止時点ａ２までの区間を単位区間として特定し、この単位区間を圧縮対象とする。
次に、圧縮処理部４３は、単位区間において、車速が予め設定した設定車速に等しくなる時点での走行データを特定する。
本実施形態では、設定車速を、１０、２０、３０、…［Ｋｍ／ｈ］といったように１０［Ｋｍ／ｈ］ごとの値とした。その結果、時点Ｃ１〜Ｃ１６が特定される。
【００６９】
なお、これらの設定速度は、一例であって、設定速度を限定するものではない。設定速度は、設定間隔を小さくするほど再生走行データの精度が高まるが、その分圧縮後のデータ量が大きくなる。そのため、解析の目的に最低限必要な精度が得られるような設定速度の間隔を設定すればよい。
また、設定速度の間隔も等分とする必要なく、解析に重要な箇所では設定間隔を小さく設定してその箇所での再現走行データの精度を高め、解析に重要でない箇所では設定間隔を大きくしてその箇所でのデータ量を少なくするように設定することもできる。
【００７０】
次に、圧縮処理部４３は、車速の変化が変曲点となる時点での走行データを特定する。その結果、時点ｂ１〜ｂ７が特定される。
変曲点の特定は、例えば、車速を時間で微分し、微分係数の符号が反転する時点を特定することにより行うことができる。または、隣接する走行データ間で差分をとり、その符号が反転する点を特定するようにしてもよい。
また、変曲点となる時点での走行データの前後にある走行データも（例えば、変曲点の前後１秒程度に含まれる走行データ）圧縮に用いると、変曲点付近の車速の変化がより正確に再現することができる。
【００７１】
以上のようにして圧縮処理部４３は、発進時点ａ１、停止時点ａ２、時点Ｃ１〜Ｃ１６、及び時点ｂ１〜ｂ７を特定し、これらの時点での走行データを元の走行データから抽出する。これら抽出された走行データが圧縮走行データとして走行データ記憶部１５に記憶される。
なお、以上の例では、横軸に時間をとり、車速の経時変化を表したが、横軸に位置座標をとり、車速の走行場所による変化を表すことも可能である。
この場合も同様に、車速が所定の設定値となる地点、及び車速の変化が変曲点となる地点を特定し、その地点に関する走行データを抽出するように構成することもできる。
【００７２】
図４は、走行データ圧縮部４１が行う圧縮処理の手順を説明するためのフローチャートである。
まず、走行データ収集部４２が位置情報と車両情報（ここでは車速）をサンプリングして収集し、時刻と共に走行データとして一時記憶装置に記憶する。
走行データの記憶は、車両の駆動装置２０が駆動してから停止するまで、即ち車両が稼動している間行う。
【００７３】
次に、走行データの収集が修了した後、圧縮処理部４３が、一時記憶装置に記憶されている走行データを読み込む（ステップ５）。
【００７４】
次に、圧縮処理部４３は、読み込んだ走行データで発進時点、及び停止時点となる時点を特定し、これによって、走行データを圧縮の単位となる単位区間に区分する（ステップ１０）。
次に、圧縮処理部４３は、各走行データの車速を調べ、車速が所定の設定値となる時点での走行データを特定し、これらを抽出する（ステップ１５）。
【００７５】
次に、圧縮処理部４３は、各走行データの車速から、時間の経過と共に車速がどのように推移するか調べて、車速の変化が変曲点となる時点での走行データを特定し、これらを抽出する（ステップ２０）。
そして、圧縮走行データ記憶部４４が、抽出した走行データを圧縮走行データとして走行データ記憶部１５に記憶し、格納する（ステップ２５）。
そして、走行データ収集部４２は、一時記憶装置に記憶している走行データを消去する。
【００７６】
図３は模式図のため、圧縮走行データは、発進時点ａ１、停止時点ａ２、時点Ｃ１〜Ｃ１６、及び時点ｂ１〜ｂ７における２５個のデータから成っている。
このため、走行データ（約８００個）は圧縮前の約３％に圧縮されたことになる。
【００７７】
図５は、図３の実線５１の走行データを圧縮した圧縮データを用いて走行データ再現部４８が再現した車速の推移の一例を示した図であり横軸に時間、縦軸に車速をとっている。
図の点線５３に示したように、走行データ再現部４８は、発進時点ａ１、停止時点ａ２、時点Ｃ１〜Ｃ１６、及び時点ｂ１〜ｂ７を座標系上に布置し、時間的に隣接する時点間を直線にて補完することにより車速の時間推移を再現している。
【００７８】
図で示したように、元の走行データによるものとほぼ同じデータが再現されており、車速の変化が変曲点となる点も表現されている。
なお、本実施形態では、隣接する走行データを直線で補完することにより元の走行データを再現したが、この他に、例えば、最小自乗法などを用いて曲線にて走行データを再現したり、あるいは、変曲点は曲線でなめらかに補完し、他の部分は直線で補完するなど、解析目的に合った方法で補完することもできる。さらに、記憶する走行データとして、各地点（時点）での加速度データを加え、この加速度データを用いて補間すれば、より精度よく元のデータを再現することができる。
【００７９】
図６（ａ）は、圧縮前の走行データ（図３の実線５１）と再現走行データとを、車速の推移を用いて比較した図である。
この図は、横軸に時間、縦軸に車速をとった座標系上で圧縮前の走行データを用いた車速の推移を実線５１で表し、再生走行データを用いた車速の推移を点線５３で表したものである。
図で示したように両者はほぼ一致し、時点ｂ１〜時点ｂ７の変曲点においても車速の時間推移が再現されている。
【００８０】
図６（ｂ）は、圧縮前の走行データ（図３の実線５１）と、サンプリング周期を３［ｓｅｃ］に低減した走行データ（以下、低周期走行データ）とを車速の推移を用いて比較した図である。
後述するように、サンプリング周期を３［ｓｅｃ］とするとデータ量が２６個となり、圧縮走行データと同程度となるため、両者を比較することにより、本実施形態による圧縮方法の優れている点をより明確に表すことができる。
【００８１】
この図も横軸に時間、縦軸に車速をとった座標系上で圧縮前の走行データによる車速の推移を実線５１で表し、サンプリング周期を低減した場合の走行データによる車速の推移を点線５５で表したものである。
サンプリング周期を低減することによっても走行データのデータ量を少なくすることができる。
【００８２】
しかし、時点ｂ１、ｂ５、ｂ６においては、車速の変化が変曲点となる時点が偶然サンプリング周期と重なっていたため再現されているが、時点ｂ２、ｂ３、ｂ４、ｂ７では、車速の変化が変曲点となる時点がサンプリングの合間に発生したためサンプリングされず再現されていない。
【００８３】
図７は、図６の各図で説明した、圧縮前の走行データ、低周期走行データ、及び圧縮走行データの特徴を比較した表である。
図に示したように、データ個数に関しては、圧縮前の走行データの場合約８００個であり、低周期走行データの２６個、圧縮走行データの２５個であり、低周期走行データ、及び圧縮走行データのデータ量はほぼ等しく、圧縮前の走行データの約３％程度である。
このため、これらデータを記憶装置に記憶する場合、低周期走行データと圧縮走行データを用いると記憶領域を大幅に節約することができる。
【００８４】
精度に関しては、圧縮前の走行データは、全てのサンプリング時点に対して正確な情報を再現できる。また、サンプリング周期が１００［ｍｓｅｃ］と非常に短いため、車速の変化が変曲点となる時点や停発進時においても正確に走行データをサンプリングすることができる。より詳細には、変曲点から５０［ｍｓｅｃ］以内の時点においてサンプリングを行うことができる。
【００８５】
一方、低周期走行データは、サンプリング周波数が３［ｓｅｃ］であるため、サンプリング時点が偶然変曲点付近にある場合は、変曲点での走行データを取得することができるが、変曲点から離れた時点でサンプリングした場合は、変曲点での走行データを取得することができない。より詳細には、サンプリング時点が変曲点から最大１．５［ｓｅｃ］はずれる可能性がある。
そのため、低周期走行データでは、車速の変化が変曲点となる時点や停発進時での走行データを取得し損ねる可能性が高くなり、精度のよいデータ収集は困難である。
【００８６】
圧縮走行データは、車速が一定な区間、及び車速が直線的に変化する区間では、走行データ間を直線で補完するため、これらの区間でのデータ量が少なく、更に元のデータの特徴を簡易的に再現する再現性が高いことに加え、車速が変曲点となる時点、及び停発進時における走行データを選択的に取得するため、これらの時点でのデータの再現性もよい。
【００８７】
以上の考察から、これらのデータの概要をまとめると次のようになる。
圧縮前の走行データは、精度は高いという長所があるが、記憶するデータ量が多くなってしまうという短所がある。
また、低周期走行データは、データ量は圧縮前走行データの３％程度まで少なくすることができるという長所があるが、細部に至って走行データを再現することは困難であり、特に車速の変化が変曲点となる時点や停発進時での値が不正確になりうるという短所がある。
【００８８】
そして、圧縮走行データは、圧縮前の走行データには及ばないものの、全区間に渡って走行データの再現性がよく、更に、車速の変化が変曲点となる時点や停発進時といった細部でのデータも正確であり、元の走行データの特徴をよく表している。
以上を総合して判断すると、データ記憶量を減らし、かつ、変曲点での走行データを正確に記憶するためには、圧縮走行データが最も優れているといえる。
【００８９】
以上では、設定速度や変曲点での走行データを取得したが、取得時点はこれに限らず走行データの利用目的に応じて設定することができる。
例えば、特定の地点を通過する際に、その時点での走行データを取得するように構成することで、走行経路の地域的特徴を繁栄した走行データを取得することができる。
また、その特定の地点を識別する識別情報を走行データに付加しておくと、より高度な解析を行うことができる。
【００９０】
特に、走行速度パターンの分類を目的とする場合、交差点通行時における走行データが重要になってくる。
このため、例えば、図８に示したように、交差点通過時点ｄ１、ｄ２における車速を圧縮走行データに付加することもできる。
これは、ナビゲーションデータベース１２のナビゲーション用の地図データを利用することにより、車両が交差点を通過した際の走行データを取得したものである。
このように、車両が交差点などを通過する時点での車速を加えることで、走行した経路の特徴も合わせて記憶することができる。
【００９１】
走行データ圧縮部４１は、位置情報取得部３２からの情報により走行経路の状態（交差点、踏切、信号機設置箇所、高速道路のインターチェンジなど）も収集できるため、これによってこれらの箇所を通過した際の車速を抽出し、圧縮走行データとして記憶することができる。
なお、交差点での走行データには、そのデータが何れの交差点におけるものであるかを識別できる識別情報を付加しておく。
交差点情報は、ハイブリッド車両のエンジン２１とモータ２４の駆動力配分（運転スケジュール）を決定するために蓄積した走行データを解析する（走行速度パターン分類）際に有用なデータになる。
【００９２】
詳細は後述するが、例えば、運転スケジュールの設定は、過去にその経路を走行した際の走行データを蓄積しておいて、その経路での走行速度パターンを分析することにより行う。
ここで走行速度パターンの分析は、例えば、交差点を基準として経路を区間に分割して区間ごとに走行速度パターンを分析し、分析結果を全行程に対して接続することにより行うことができる。
走行速度パターン分類を行う場合、交差点における停止や渋滞が順調な走行の阻害要因となる場合が多いため、主に交差点付近での走行速度パターンの分類が重要になる。
【００９３】
例えば、図８に示した再現走行データから以下のような情報を読み取ることができる。
車両は、交差点通過時点ｄ１の直前（時点ａ１）で停止している。ことから、この停止地点では、車両は信号待ちで停止していることが容易に推定することができる。
また交差点通過時点ｄ１から次の交差点通過時点ｄ２まで停止せずに走行していることから、これら交差点間はスムーズに走行できたことがわかる。
このような知見は、後に将来の車両の今後の走行を予測するときに有用である。
【００９４】
また、走行データにブレーキのオンオフを行った時点を加えることもできる。この際、ナビゲーションデータベース１２の地図データを用いて、ブレーキをオンオフした地点を特定することができる。
これにより、運転者がどの地点でブレーキをオンオフしたか知ることができ、運転者の操作状況も合わせて記憶することができる。
このように、走行データに含まれる項目としてブレーキ情報を採用し、走行データ記憶部１５に記憶することで車速変化に現れないブレーキの操作も記憶することができる。これにより、混雑度合いを認知することができ、ハイブリッド車両の制御（エンジン２１とモータ２４の駆動配分）に用いることができる。
【００９５】
次に、以上のようにして走行データ記憶部１５に蓄積した圧縮走行データの利用方法について説明する。ここでは、圧縮データに交差点通過時点での走行データも含まれているものとする。
走行データ処理部１１（走行データ再現部４８と走行データ解析部４９を構成する）は、以下のようにしてエンジン２１とモータ２４の運転スケジュールを設定することができる。
【００９６】
まず、運転者がこれらから走行しようとする経路を予測する。
この予測は、例えば、運転者が発進前に目的地を設定した場合、走行データ取得部１３から現在位置を取得し、ナビゲーションデータベース１２を用いて、目的地とこの現在位置から最適経路を検索することにより行うことができる。
または、通勤経路のように毎日定時刻に同じ経路を通行する頻発経路である場合、発車時刻からこれから通行する経路が頻発経路であることを予測することができる。
【００９７】
次に、走行データ処理部１１は、予測した経路を交差点を基準として複数の区間に分割する。
そして、走行データ処理部１１は、これら区間を含む圧縮走行データを走行データ記憶部１５から読み出し、走行データ再現部４８によって、これらから再現走行データを生成する。当該区間を含む圧縮走行データが複数ある場合は、統計処理を行うため、これらの全てを用いる。または、走行環境データを用いて、走行当日の走行環境に適合するものを選択してもよい。あるいは、最近のものを採用し、古い走行データは採用しないように構成することもできる。
これにより、当該区間での過去の再現走行データが複数得られる。
【００９８】
次に、走行データ処理部１１は、走行データ解析部４９により再現走行データの解析を行う。
まず、走行データ解析部４９は、各区間ごとにその区間での過去の走行速度パターンを分類する。
この走行速度パターン分類により、例えば、ある交差点ではいつも渋滞し、低速での停発進を繰り返す傾向があるだとか、また、ある交差点の信号機は、手前の交差点での信号機と連動しており、停止することなく通常走行で通過できる傾向があるだとかいったような傾向を統計的に抽出することができる。
【００９９】
次に、走行データ解析部４９は、その当日最も可能性の高い走行速度パターンを各区間ごとに選択する。
これは、例えば、各走行速度パターンのうち、最も頻度の大きいものを選択することにより行うことができる。
次に、走行データ解析部４９は、各区間ごとに選択した走行速度パターンを隣接する区間ごとに接続し、これによって全区間に渡る走行速度パターンの予測を得る。
【０１００】
以上の例に示したようにして、走行データ処理部１１は、走行データ記憶部１５に記憶された圧縮走行データから、これらか走行する経路での走行速度パターンを予測することができる。
なお、このようにして生成された走行速度パターンは、走行データ処理部１１からメイン制御装置２６にナビ制御情報として送られ、走行データ処理部１１がエンジン２１とモータ２４の運転スケジュールを設定するのに利用される。
【０１０１】
一般にエンジン２１は、低速走行時の効率が低いので、例えば、低速走行時の駆動力をモータ２４で補うことにより燃費を高めることができる。
そのため、走行速度パターンより、例えば、走行が順調と予測される区間の後、低速での停発進が続くと予測される区間が存在する場合、走行が順調と予測される区間走行時に発電機２２を駆動してバッテリ２３を蓄電しておき、低速での停発進が続くと予測される区間でこれを放電するように運転スケジュールを設定することができる。
メイン制御装置２６は、最適な運転スケジュールを設定することにより燃料消費量を最小限に抑えることができる。
【０１０２】
（３）実施形態の変形例
以上、本実施形態の一例について説明したが、この他に各種の変形例が可能である。
例えば、本実施形態では、一旦、所定周期で詳細な走行データを収集した後、これらの中から、所定の車速となる時点や車速の変化が変曲点となる時点などの特定のものを抽出したが、この他に例えば、走行データをサンプリングしながら、所定の車速となる時点や車速が変曲点を構成する時点をリアルタイムで判断し、条件を満たすデータを記憶し、他のデータを捨てるようなリアルタイム処理にて行うように構成することもできる。
【０１０３】
また、本実施形態では、圧縮走行データを走行データ記憶部１５に格納したが、無線通信によりネットワーク接続された情報センタ（サーバ装置）に送信し、サーバ装置にて記憶するように構成することも可能である。
この場合、データ利用部４７は、データ利用時にサーバ装置から過去の走行データをダウンロードして解析することができる。
このように構成すると、走行データを車両側で管理する必要がないのでコスト低減を図ることができる。
【０１０４】
更に、走行データ圧縮部４１の機能やデータ利用部４７の機能をサーバ装置側で実現することも可能である。
この場合、車両では走行データ記憶部１５で走行データを取得した後、これを無線にてサーバ装置に送信する。
サーバ装置では、走行データを圧縮して記憶し、また、車両側からの要求によって走行データを再現する。
更に、サーバ装置は、走行データの解析を行い、解析結果を車両側に送信する。
【０１０５】
なお、本実施形態では、走行データから所定の設定速度となる時点での走行データを抽出したが、このほかに、例えば、Ｃ１点からＣ１６点までの継続時間をＣ１点のデータに附帯するように構成することもできる。
このように構成すると、Ｃ１６の走行データがいらなくなり、Ｃ１の走行データで対応可能となる。
【０１０６】
説明した本実施形態では、走行データをサンプリングする変曲点として、車速が加速から減速へ、及び減速から加速へ変更した地点としたが、加速又は減速から定速に変化した地点、及び定速から加速又は減速に変化地点も変曲点に含めるようにしてもよい。
また、車両の加速度α［ｍ／ｓ2］の変化率が所定以上である点を変曲点としてサンプリング対象とすることも可能である。
【０１０７】
以上に説明した本実施形態により以下のような効果を得ることができる。
（１）走行データから解析目的に必要な部分を抽出することにより、必要最低限な情報を記憶し、不要な情報を捨てることができる。これにより、解析に必要な部分の精度を落とさずに走行データを圧縮することができる。
例えば、走行速度パターン分類を行う場合、走行データの「走行」という特性に着目したデータ圧縮を行うことができる。
即ち、走行データの特徴をとらえることで（加速から減速、減速から加速という変極点）、圧縮したデータを再生したときの精度の低下を抑えることができ、少ない情報量でもとのデータを正確に表現することができる。
【０１０８】
（２）走行データを従来の数％程度まで圧縮することができ、多くの走行データを記憶させる場合に、記憶容量を少なくすることができる。
これにより、走行データの蓄積を一般の自動車の車載装置で行う場合、コスト的、記憶容量的に少なくすることができる。
（３）記憶させた走行データを使用する場合にも、データ量が少ないためメモリや記憶装置への読込速度と書き込み速度を短縮することができ、情報処理を迅速に行うことができる。
（４）走行データに交差点などの特定場所での走行データを加えることで、走行した経路の特徴も合わせて記憶することができる。
（５）アクセルやブレーキのオンオフ地点などの運転者の操作点での情報を加えることで、運転者の操作の状況も合わせて記憶することができる。
【図面の簡単な説明】
【０１０９】
【図１】本発明の実施形態における駆動制御装置、及び車両が適用されるハイブリッド車両の駆動制御システムの構成を示す概念図である。
【図２】走行データ処理部が実現する機能を説明するための機能ブロック図である。
【図３】走行時間に対する車速の変化の推移をグラフにより表したものである。
【図４】走行データ圧縮部が行う圧縮処理の手順を説明するためのフローチャートである。
【図５】走行データ再現部が再現した車速の推移の一例を示した図である。
【図６】（ａ）は、圧縮前の走行データと再現走行データとを比較したグラフであり、（ｂ）は、圧縮前の走行データと、低周期走行データとを比較したグラフである。
【図７】圧縮前の走行データ、低周期走行データ、及び圧縮走行データの特徴を比較した表である。
【図８】交差点通過時点における車速を圧縮走行データに付加した場合を説明するためのグラフである。
【符号の説明】
【０１１０】
１０  駆動制御システム
１１  走行データ処理部
１２  ナビゲーションデータベース
１３  走行データ取得部
１４  走行環境データ取得部
１５  走行データ記憶部
２０  駆動装置
２１  エンジン
２２  発電機
２３  バッテリ
２４  モータ
２５  駆動力伝達装置
２６  メイン制御装置
３２  位置情報取得部
３３  車両情報取得部
４１  走行データ圧縮部
４２  走行データ収集部
４３  圧縮処理部
４４  圧縮走行データ記憶部
４７  データ利用部
４８  走行データ再現部
４９  走行データ解析部
【図１】
2008108247.tif 000003
【図２】
2008108247.tif 000004
【図３】
2008108247.tif 000005
【図４】
2008108247.tif 000006
【図５】
2008108247.tif 000007
【図６】
2008108247.tif 000008
【図７】
2008108247.tif 000009
【図８】
2008108247.tif 000010
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
車両の車速を取得する車速取得手段と、
前記車両の位置情報及び現在時刻のうち少なくとも一方からなる車速関連情報を取得する車速関連情報取得手段と、
前記取得した車速が予め設定した設定車速に等しくなる時点、及び、前記車速の変化が加速から減速へ、及び減速から加速へ変更した時点の各時点において、前記車速関連情報取得手段が取得した車速関連情報を、前記車速と対応させて出力する出力手段と、を具備したことを特徴とする情報処理装置。
【請求項２】
所定の取得間隔にて前記車速取得手段から車速を取得し、更に、前記車速を取得した時点における車速関連情報を前記車速関連情報取得手段から取得し、前記取得した車速と車速関連情報を対応させて記憶する記憶手段を具備し、
前記出力手段は、前記記憶した車速と車速関連情報から、前記設定車速に等しい車速、及び加速から減速へ、及び減速から加速へ変更した時点の車速に対応付けられている車速関連情報を車速と共に出力することを特徴とする請求項１に記載の情報処理装置。
【請求項３】
前記出力手段は、前記記憶した車速と車速関連情報から、前記車両が発進してから停止するまでの区間を単位区間として抽出し、前記抽出した単位区間において、車速と車速関連情報を抽出することを特徴とする請求項２に記載の情報処理装置。
【請求項４】
前記車速取得手段と前記車速関連情報取得手段は、前記車両が所定の特定場所を通過する際の車速と車速関連情報を取得し、
前記出力手段は、前記取得した車速と車速関連情報を、前記特定場所を識別する識別情報と共に出力することを特徴とする請求項１、請求項２、又は請求項３に記載の情報処理装置。
【請求項５】
前記出力手段が出力した車速と車速関連情報を用いて、前記車両が走行した車速の推移を再現する再現手段と、
前記再現した車速の推移を所定の解析手順により解析する解析手段と、
前記解析手段による解析結果を出力する解析結果出力手段と、
を具備したことを特徴とする請求項１から請求項４までのうちの何れか１の請求項に記載の情報処理装置。
【請求項６】
駆動力の一部又は全部が車両の駆動又は発電に使用されるエンジンと、車両の駆動力を発生させるモータとを備え、前記エンジンとモータの少なくとも一方の駆動力により走行するハイブリッド車両であって、
走行経路を特定する走行経路特定手段と、
請求項５に記載の情報処理装置と、
前記情報処理装置の解析結果出力手段から出力された解析結果を用いて前記特定した走行経路における燃料消費量が最少となるように、前記エンジンと前記モータの運転スケジュールを設定する運転スケジュール設定手段と、
を具備することを特徴とするハイブリッド車両。
【手続補正２】
【補正対象書類名】明細書
【補正対象項目名】００１０
【補正方法】変更
【補正の内容】
【００１０】
請求項１に記載の発明では、車両の車速を取得する車速取得手段と、前記車両の位置情報及び現在時刻のうち少なくとも一方からなる車速関連情報を取得する車速関連情報取得手段と、前記取得した車速が予め設定した設定車速に等しくなる時点、及び、前記車速の変化が加速から減速へ、及び減速から加速へ変更した時点の各時点において、前記車速関連情報取得手段が取得した車速関連情報を、前記車速と対応させて出力する出力手段と、を情報処理装置に具備させて前記目的を達成する。
請求項２に記載の発明では、請求項１に記載の情報処理装置において、所定の取得間隔にて前記車速取得手段から車速を取得し、更に、前記車速を取得した時点における車速関連情報を前記車速関連情報取得手段から取得し、前記取得した車速と車速関連情報を対応させて記憶する記憶手段を具備し、前記出力手段は、前記記憶した車速と車速関連情報から、前記設定車速に等しい車速、及び加速から減速へ、及び減速から加速へ変更した時点の車速に対応付けられている車速関連情報を車速と共に出力することを特徴とする。
請求項３に記載の発明では、請求項２に記載の情報処理装置において、前記出力手段は、前記記憶した車速と車速関連情報から、前記車両が発進してから停止するまでの区間を単位区間として抽出し、前記抽出した単位区間において、車速と車速関連情報を抽出することを特徴とする。
請求項４に記載の発明では、請求項１、請求項２、又は請求項３に記載の情報処理装置において、前記車速取得手段と前記車速関連情報取得手段は、前記車両が所定の特定場所を通過する際の車速と車速関連情報を取得し、前記出力手段は、前記取得した車速と車速関連情報を、前記特定場所を識別する識別情報と共に出力することを特徴とする。
請求項５に記載の発明では、請求項１から請求項４までのうちの何れか１の請求項に記載の情報処理装置において、前記出力手段が出力した車速と車速関連情報を用いて、前記車両が走行した車速の推移を再現する再現手段と、前記再現した車速の推移を所定の解析手順により解析する解析手段と、前記解析手段による解析結果を出力する解析結果出力手段と、を具備したことを特徴とする。
請求項６に記載の発明では、駆動力の一部又は全部が車両の駆動又は発電に使用されるエンジンと、車両の駆動力を発生させるモータとを備え、前記エンジンとモータの少なくとも一方の駆動力により走行するハイブリッド車両であって、走行経路を特定する走行経路特定手段と、請求項５に記載の情報処理装置と、前記情報処理装置の解析結果出力手段から出力された解析結果を用いて前記特定した走行経路における燃料消費量が最少となるように、前記エンジンと前記モータの運転スケジュールを設定する運転スケジュール設定手段と、をハイブリッド車両に具備させて前記目的を達成する。
【手続補正３】
【補正対象書類名】明細書
【補正対象項目名】００１４
【補正方法】変更
【補正の内容】
【００１４】
走行データの圧縮は、サンプリングした走行データのうち、所定の設定車速に到達した時点（地点）、及び車速の変化が極点となる時点で取得した走行データを抽出することにより行う。ここで、極点となる時点とは、車速が加速から減速へ、及び減速から加速へ変更した時点、即ち、グラフ上の山や谷となる時点をいう。
そして、走行データ処理部１１は、抽出した走行データを出力し走行データ記憶部１５に記憶する。
【手続補正４】
【補正対象書類名】明細書
【補正対象項目名】００１５
【補正方法】変更
【補正の内容】
【００１５】
本実施形態では、図３に示したように、発進時点ａ１、停止時点ａ２、車速が１０、２０、３０、…［Ｋｍ／ｈ］に達する時点Ｃ１、Ｃ２、Ｃ３、…、及び車速の変化が極点（即ち、グラフ上の山や谷）となる時点ｂ１、ｂ２、ｂ３、…における走行データを抽出する。
そして、抽出した時点ごとに、その時点における車速、位置情報、時刻などの走行データを記憶・蓄積し、その後元の走行データは消去する。
【手続補正５】
【補正対象書類名】明細書
【補正対象項目名】００１６
【補正方法】変更
【補正の内容】
【００１６】
図５は、この抽出した走行データを用いて車速の推移を再現したものであり、図６（ａ）は、元の走行データによる車速の推移（実線５１）と抽出した走行データから再現した車速の推移（点線５３）を比較した図である。
図に示したように両者はよく一致し、車速の解析で重要な極点付近の形状もよく再現されている。
【手続補正６】
【補正対象書類名】明細書
【補正対象項目名】００１７
【補正方法】変更
【補正の内容】
【００１７】
図３に示した例では、従来であれば、発進時点ａ１から停止時点ａ２に至るまで、例えば、サンプリング周期１００［ｍｓｅｃ］程度でサンプリングしていたとすると約８０秒の走行時間に対して約８００点のデータ数となる。これに対し本発明では、図３に示したＣ１〜Ｃ１６，ｂ１〜ｂ７，ａ１、ａ２の数十点程度の走行データを記憶するだけで、元の走行データを精度よく再現することができる。
このように、本実施形態は、設定速度と極点での走行データから元の走行データが精度よく再現できるという「走行データ」の特性に適したデータ圧縮方法を提供することができ、走行データを必要最小限に簡略化（圧縮）することができる。
蓄積した走行データは利用時に再現され、例えば、ハイブリッド車両で頻発経路を走行する際に、燃費効率のよいモータとエンジンの駆動力配分を決定する際の有用なデータとなる。
【手続補正７】
【補正対象書類名】明細書
【補正対象項目名】００５５
【補正方法】変更
【補正の内容】
【００５５】
走行データの収集に関しては、車両の走行中に、所定のサンプリングレートで車速、位置情報、時刻などを同じタイミングで刻々と取得し、これを圧縮して圧縮走行データとした後、走行データ記憶部１５に出力して格納・蓄積する。
そして、走行データの解析に関しては、圧縮走行データから走行データを再現した後、これを解析し、出力する。
なお、詳細は後述するが、圧縮は、走行データから車速が設定速度に到達した時点、極点となる時点などにおけるものを抽出することにより行う。
【手続補正８】
【補正対象書類名】明細書
【補正対象項目名】００５６
【補正方法】変更
【補正の内容】
【００５６】
このように、走行データ処理部１１は、車速を取得する車速取得手段と、車速関連情報（位置情報、時刻）を取得する車速関連情報取得手段、設定速度及び極点における車速と車速関連情報を対応させて出力する出力手段としての機能を有している。
更に、走行データ処理部１１は、所定の取得間隔（時間間隔、又は走行距離による間隔）にて車速、位置情報、時刻を取得して走行データ記憶部１５に記憶する記憶手段としての機能も有している。
加えて、走行データ処理部１１は、圧縮走行データから元の走行データを再現する再現手段、再現した走行データを解析する解析手段、解析結果をメイン制御装置２６に出力する解析結果出力手段としての機能を有している。
【手続補正９】
【補正対象書類名】明細書
【補正対象項目名】００６２
【補正方法】変更
【補正の内容】
【００６２】
次に、各単位区間に対して、車速が予め設定した値に等しくなった時点での走行データを特定し、これを抽出する。
更に、車速の変化から、車速の変化が極点となる時点を特定し、この時点での走行データを抽出する。
このように、圧縮処理部４３は、走行データ収集部４２が収集した走行データのうち、解析を行う際に重要な時点（特に、車速の変化が極点となる点の付近）での走行データを漏らさずに抽出し、走行データを圧縮することができる。
そのため、走行データの特徴を失わないように走行データを圧縮することができる。
【手続補正１０】
【補正対象書類名】明細書
【補正対象項目名】００７０
【補正方法】変更
【補正の内容】
【００７０】
次に、圧縮処理部４３は、車速の変化が極点となる時点での走行データを特定する。その結果、時点ｂ１〜ｂ７が特定される。
極点の特定は、例えば、車速を時間で微分し、微分係数の符号が反転する時点を特定することにより行うことができる。または、隣接する走行データ間で差分をとり、その符号が反転する点を特定するようにしてもよい。
また、極点となる時点での走行データの前後にある走行データも（例えば、極点の前後１秒程度に含まれる走行データ）圧縮に用いると、極点付近の車速の変化がより正確に再現することができる。
【手続補正１１】
【補正対象書類名】明細書
【補正対象項目名】００７１
【補正方法】変更
【補正の内容】
【００７１】
以上のようにして圧縮処理部４３は、発進時点ａ１、停止時点ａ２、時点Ｃ１〜Ｃ１６、及び時点ｂ１〜ｂ７を特定し、これらの時点での走行データを元の走行データから抽出する。これら抽出された走行データが圧縮走行データとして走行データ記憶部１５に記憶される。
なお、以上の例では、横軸に時間をとり、車速の経時変化を表したが、横軸に位置座標をとり、車速の走行場所による変化を表すことも可能である。
この場合も同様に、車速が所定の設定値となる地点、及び車速の変化が極点となる地点を特定し、その地点に関する走行データを抽出するように構成することもできる。
【手続補正１２】
【補正対象書類名】明細書
【補正対象項目名】００７５
【補正方法】変更
【補正の内容】
【００７５】
次に、圧縮処理部４３は、各走行データの車速から、時間の経過と共に車速がどのように推移するか調べて、車速の変化が極点となる時点での走行データを特定し、これらを抽出する（ステップ２０）。
そして、圧縮走行データ記憶部４４が、抽出した走行データを圧縮走行データとして走行データ記憶部１５に記憶し、格納する（ステップ２５）。
そして、走行データ収集部４２は、一時記憶装置に記憶している走行データを消去する。
【手続補正１３】
【補正対象書類名】明細書
【補正対象項目名】００７８
【補正方法】変更
【補正の内容】
【００７８】
図で示したように、元の走行データによるものとほぼ同じデータが再現されており、車速の変化が極点となる点も表現されている。
なお、本実施形態では、隣接する走行データを直線で補完することにより元の走行データを再現したが、この他に、例えば、最小自乗法などを用いて曲線にて走行データを再現したり、あるいは、極点は曲線でなめらかに補完し、他の部分は直線で補完するなど、解析目的に合った方法で補完することもできる。さらに、記憶する走行データとして、各地点（時点）での加速度データを加え、この加速度データを用いて補間すれば、より精度よく元のデータを再現することができる。
【手続補正１４】
【補正対象書類名】明細書
【補正対象項目名】００７９
【補正方法】変更
【補正の内容】
【００７９】
図６（ａ）は、圧縮前の走行データ（図３の実線５１）と再現走行データとを、車速の推移を用いて比較した図である。
この図は、横軸に時間、縦軸に車速をとった座標系上で圧縮前の走行データを用いた車速の推移を実線５１で表し、再生走行データを用いた車速の推移を点線５３で表したものである。
図で示したように両者はほぼ一致し、時点ｂ１〜時点ｂ７の極点においても車速の時間推移が再現されている。
【手続補正１５】
【補正対象書類名】明細書
【補正対象項目名】００８２
【補正方法】変更
【補正の内容】
【００８２】
しかし、時点ｂ１、ｂ５、ｂ６においては、車速の変化が極点となる時点が偶然サンプリング周期と重なっていたため再現されているが、時点ｂ２、ｂ３、ｂ４、ｂ７では、車速の変化が極点となる時点がサンプリングの合間に発生したためサンプリングされず再現されていない。
【手続補正１６】
【補正対象書類名】明細書
【補正対象項目名】００８４
【補正方法】変更
【補正の内容】
【００８４】
精度に関しては、圧縮前の走行データは、全てのサンプリング時点に対して正確な情報を再現できる。また、サンプリング周期が１００［ｍｓｅｃ］と非常に短いため、車速の変化が極点となる時点や停発進時においても正確に走行データをサンプリングすることができる。より詳細には、極点から５０［ｍｓｅｃ］以内の時点においてサンプリングを行うことができる。
【手続補正１７】
【補正対象書類名】明細書
【補正対象項目名】００８５
【補正方法】変更
【補正の内容】
【００８５】
一方、低周期走行データは、サンプリング周波数が３［ｓｅｃ］であるため、サンプリング時点が偶然極点付近にある場合は、極点での走行データを取得することができるが、極点から離れた時点でサンプリングした場合は、極点での走行データを取得することができない。より詳細には、サンプリング時点が極点から最大１．５［ｓｅｃ］はずれる可能性がある。
そのため、低周期走行データでは、車速の変化が極点となる時点や停発進時での走行データを取得し損ねる可能性が高くなり、精度のよいデータ収集は困難である。
【手続補正１８】
【補正対象書類名】明細書
【補正対象項目名】００８６
【補正方法】変更
【補正の内容】
【００８６】
圧縮走行データは、車速が一定な区間、及び車速が直線的に変化する区間では、走行データ間を直線で補完するため、これらの区間でのデータ量が少なく、更に元のデータの特徴を簡易的に再現する再現性が高いことに加え、車速が極点となる時点、及び停発進時における走行データを選択的に取得するため、これらの時点でのデータの再現性もよい。
【手続補正１９】
【補正対象書類名】明細書
【補正対象項目名】００８７
【補正方法】変更
【補正の内容】
【００８７】
以上の考察から、これらのデータの概要をまとめると次のようになる。
圧縮前の走行データは、精度は高いという長所があるが、記憶するデータ量が多くなってしまうという短所がある。
また、低周期走行データは、データ量は圧縮前走行データの３％程度まで少なくすることができるという長所があるが、細部に至って走行データを再現することは困難であり、特に車速の変化が極点となる時点や停発進時での値が不正確になりうるという短所がある。
【手続補正２０】
【補正対象書類名】明細書
【補正対象項目名】００８８
【補正方法】変更
【補正の内容】
【００８８】
そして、圧縮走行データは、圧縮前の走行データには及ばないものの、全区間に渡って走行データの再現性がよく、更に、車速の変化が極点となる時点や停発進時といった細部でのデータも正確であり、元の走行データの特徴をよく表している。
以上を総合して判断すると、データ記憶量を減らし、かつ、極点での走行データを正確に記憶するためには、圧縮走行データが最も優れているといえる。
【手続補正２１】
【補正対象書類名】明細書
【補正対象項目名】００８９
【補正方法】変更
【補正の内容】
【００８９】
以上では、設定速度や極点での走行データを取得したが、取得時点はこれに限らず走行データの利用目的に応じて設定することができる。
例えば、特定の地点を通過する際に、その時点での走行データを取得するように構成することで、走行経路の地域的特徴を反映した走行データを取得することができる。
また、その特定の地点を識別する識別情報を走行データに付加しておくと、より高度な解析を行うことができる。
【手続補正２２】
【補正対象書類名】明細書
【補正対象項目名】０１０２
【補正方法】変更
【補正の内容】
【０１０２】
（３）実施形態の変形例
以上、本実施形態の一例について説明したが、この他に各種の変形例が可能である。
例えば、本実施形態では、一旦、所定周期で詳細な走行データを収集した後、これらの中から、所定の車速となる時点や車速の変化が極点となる時点などの特定のものを抽出したが、この他に例えば、走行データをサンプリングしながら、所定の車速となる時点や車速が極点を構成する時点をリアルタイムで判断し、条件を満たすデータを記憶し、他のデータを捨てるようなリアルタイム処理にて行うように構成することもできる。
【手続補正２３】
【補正対象書類名】明細書
【補正対象項目名】０１０６
【補正方法】変更
【補正の内容】
【０１０６】
説明した本実施形態では、走行データをサンプリングする極点として、車速が加速から減速へ、及び減速から加速へ変更した地点としたが、加速又は減速から定速に変化した地点、及び定速から加速又は減速に変化した地点も極点に含めるようにしてもよい。
また、車両の加速度α［ｍ／ｓ2］の変化率が所定以上である点を極点としてサンプリング対象とすることも可能である。